(57)【要約】【課題】  短時間に容易かつ低コストで製造可能であり、重量を大きく設定しても型崩れを起こすことがない重さを自由に設定できるぬいぐるみ玩具を提供する。【解決手段】  動物等の形状からなる布製の柔軟な外装材の内部に、綿・布または人工樹脂からなる充填材とぬいぐるみの重さを調節するための石・砂または金属からなる重錘材を詰めて外装材の端部を縫い合わせて作成するぬいぐるみにおいて、重錘材がぬいぐるみの腹部に配置された重量の大きい１つの第一の重錘と第一の重錘よりも軽量な複数の第二の重錘とからなり、ぬいぐるみの総重量を所望の重さにするために所定の数の第二の重錘または所定の重量の第二の重錘を封入した構成である。【選択図】    図１
2005160541.tif 000002
【特許請求の範囲】
【請求項１】
動物等の形状からなる布製の柔軟な外装材の内部に、綿・布または人工樹脂からなる充填材とぬいぐるみの重さを調節するための石・砂または金属からなる重錘材を詰めて外装材の端部を縫い合わせて作成するぬいぐるみにおいて、
該重錘材がぬいぐるみの腹部に配置された重量の大きい１つの第一の重錘と該第一の重錘よりも軽量な複数の第二の重錘とからなり、
ぬいぐるみの総重量を所望の重さにするために所定の数の第二の重錘または所定の重量の第二の重錘を封入したことを特徴とする重さを自由に設定出来るぬいぐるみ玩具
【請求項２】
前記第一の重錘は、総重量調節用の重錘を収納する容積を少なくするために、第一の重錘を１．５ｋｇ又は２ｋｇ又は３ｋｇの小塊にしたことを特徴とする前記請求項１記載の重さを自由に設定出来るぬいぐるみ玩具
【請求項３】
前記第一の重錘は、一つの塊からなり、球形、円柱形または円筒形であることを特徴とする前記請求項１記載の重さを自由に設定出来るぬいぐるみ玩具
【請求項４】
前記第一の重錘は、表面を緩衝材で包囲したことを特徴とする前記請求項１記載の重さを自由に設定出来るぬいぐるみ玩具
【発明の詳細な説明】
【技術分野】
【０００１】
本発明は、ぬいぐるみ玩具に関し、特にプレゼント用に誕生時の乳幼児の体重と同一の重さに設定出来るようにした重さを自由に設定できるぬいぐるみ玩具に関する。
【背景技術】
【０００２】
ぬいぐるみ玩具は、年齢や性別を問わず多くの人々に親しまれており、誕生日や結婚式等のプレゼントとしても人気が高い。従来からプレゼントに用いられているぬいぐるみ玩具は、外形がキャラクターや動物の形状等の愛玩の対象としてのぬいぐるみであったが、近年では外形のかわいらしさ以外にも何らかの付加価値を加えたぬいぐるみ玩具が愛玩用であると同時に室内装飾用としても流通するようになった。例えば、結婚披露宴で新郎新婦からその両親に贈呈される記念品としてのぬいぐるみ玩具においては、ぬいぐるみの重量を新郎新婦の出生時の体重に設定して両親にプレゼントすることが新たに考えられている。新郎新婦の両親がぬいぐるみを抱えたときに新郎新婦の出生時等を思い出し、より大きな感動が得られることに意外性と回想性に人気があり、遊興用と言うよりは装飾用の大人に対するプレゼントとして一般に広まりつつある。
【０００３】
従来は、この種のプレゼント用の重いぬいぐるみ玩具は、比較的小型なスチールボール等の錘の数を調整してぬいぐるみに詰めることにより所望の重量を実現していた。しかし、通常より重い２〜３キロにもおよぶぬいぐるみの場合、スチールボールを一箇所にまとめて詰め込むと、スチールボール間に隙間が生じてしまい、錘材が嵩張る欠点があった。ぬいぐるみ内部でスチールボールが占有するスペースは比較的大きなものとなり、ぬいぐるみの外観を損ねるほど変形する点でも問題点があった。ぬいぐるみの重さを軽めに設定する際はそれほど大きな問題とはならないが、設定する重量が大きければ大きいほど大量のスチールボールを詰めざるを得なくなる。一般に出生時の体重は、平均して３〜３．５ｋｇと言われているが、ぬいぐるみ玩具をこの重さに調整するためには大量の錘材を詰める必要があり、ぬいぐるみの変形を避けることができなかった。
【０００４】
スチールボール等の錘材を大量に詰めた際のぬいぐるみの膨張を最小限に留める方法として、ぬいぐるみに充填する柔軟材の量を少量にすることも考えられるが、充填材の量が少ないとスチールボールがぬいぐるみの外装材附近にまで及ぶため、ぬいぐるみの外側にスチールボールの硬質感が伝わってしまい、抱き心地を損ねるという問題があった。また、ぬいぐるみの手足に錘を入れて分散させる方法も考えられるが、手足部分は胴体部に比べて細く作られており、錘材を封入することによる硬質化を避けることができないという欠点がある。さらに手足部分に錘材を詰めて重くすると、手足が錘の重さでぶら下ってしまい、結局は型崩れを起こす原因となるという欠点もあった。
【０００５】
プレゼントで贈られたぬいぐるみは、記念として長期間にわたって所持するのが普通である。丁寧に縫合したとしても長期間使用すれば縫合糸がほつれる可能性は十分に考えられるが、その際にぬいぐるみに詰めた大量の錘材がほつれ部分から流出してしまう恐れがある。錘材として従来は金属や石などが用いられていたが、ぬいぐるみで遊ぶ幼児等がこれを飲み込む恐れがあって危険でもあった。
【０００６】
従来の重さを自由に設定できるぬいぐるみ玩具は、製造面においても問題を抱えていた。この種のぬいぐるみ玩具は、ぬいぐるみの重量を顧客の出生時の体重に設定するために注文を受けてから製造する必要があり、製品を予め見込生産して常時一定数の製品在庫を確保しておくことは出来なかった。単純に錘を詰め込むだけならばよいが、錘を詰め込む位置およびぬいぐるみの総重量を調整し、かつ型崩れしないように大量の錘材をぬいぐるみの各所に詰め込み縫合する作業は手間と時間がかかるため、急な大量な注文には対応することが困難なことがあった。また、一定の重さに統一された小型の錘を大量に且つ低コストで用達するのは難しく、製品を安価に提供することができないという問題もあった。
【０００７】
そこで、短時間に容易かつ低コストで製造可能であり、総重量が大きくなってもぬいぐるみとして型崩れを起こすことがない重さを自由に設定できるぬいぐるみ玩具の開発が待たれていた。
【０００８】
【特許文献１】特開２００１−２５９２４０
【発明の開示】
【発明が解決しようとする課題】
【０００９】
上記問題を解決するために、本発明の重さを自由に設定できるぬいぐるみ玩具は、短時間に容易かつ低コストで製造可能であり、重量を大きく設定しても型崩れを起こすことがない重さを自由に設定できるぬいぐるみ玩具を提供することを目的とする。
【課題を解決するための手段】
【００１０】
上記課題を達成するために本発明に係る重さを自由に設定できるぬいぐるみ玩具は、動物等の形状からなる布製の柔軟な外装材の内部に、綿・布または人工樹脂からなる充填材とぬいぐるみの重さを調節するための石・砂または金属からなる重錘材を詰めて外装材の端部を縫い合わせて作成するぬいぐるみであって、該重錘材がぬいぐるみの腹部に配置された重量の大きい１つの第一の重錘と該第一の重錘よりも軽量な複数の第二の重錘とからなり、ぬいぐるみの総重量を所望の重さにするために所定の数の第二の重錘または所定の重量の第二の重錘を封入した構成である。
また、第一の重錘は、総重量調節用の重錘を収納する容積を少なくするために、第一の重錘を１．５ｋｇ又は２ｋｇ又は３ｋｇの小塊にした構成である。
また、第一の重錘は、一つの塊からなり、球形、円柱形または円筒形に形成されている。さらに第一の重錘は、表面を緩衝材で包囲した構成とすることもある。
【発明の効果】
【００１１】
本発明にかかる重さを自由に設定できるぬいぐるみ玩具は、上記のような構成であるので、以下のような効果を奏する、
１．ぬいぐるみ内部における重錘体が占める体積を小さくすることができるため、大量の重錘でぬいぐるみが型崩れを起こす恐れのない重さを自由に設定できるぬいぐるみ玩具を提供できる。また、腹部に集中して詰めることが可能になり、従来のようにぬいぐるみの手足に重錘体を入れる必要が無いので、ぬいぐるみの手足の型崩れも防ぐことが出来る。さらに、ぬいぐるみに詰める第二の重錘の数を最小限にすることが出来るため、製造時間が短縮され、在庫部品の数も減少し、低コストで製造可能となった。また、長期の使用でぬいぐるみの縫合がほつれても、従来のように大量の重錘材が外部に流出することがなく、安全である。
【００１２】
２．第一の重錘の重量を１．５ｋｇ又は２ｋｇ又は３ｋｇに設定したことで、人間の生誕時の体重により近い重さに設定されているので、総重量の設定が簡便になり注文から生産までの工程が簡素化される。また、所望の重量に近い第一の重錘を選択すれば、ぬいぐるみに詰める第二の重錘の数を最小限に抑えることができるので質感を保てると同時に作業時間の短縮が実現され、低コストでの製造が可能となる。
３．誕生時に大きな子供であっても比較的大型の第一の重錘をぬいぐるみの腹部に詰めることにより、全体の形状が崩れることがなく、また柔軟性を損なうこともないため、ぬいぐるみの腹部に入れても抱き心地を損ねない利点がある。
４．硬質な第一の重錘を緩衝材で包囲することで、より柔軟性のある重さを自由に設定できるぬいぐるみ玩具を提供することができる。また、ぬいぐるみを誤って落下させても内部の重錘材が破損したり外部に出る可能性が無く安全である。
【発明を実施するための最良の形態】
【００１３】
以下に本発明に係る重さを自由に設定できるぬいぐるみ玩具を、図面に示す実施例に従って詳細に説明する。図１は本実施例の重さを自由に設定できるぬいぐるみ玩具の一部切欠斜視図である。
本発明の重さを自由に設定できるぬいぐるみ玩具１０は、外装材２０と、充填材３０と、第一の重錘４０と、第二の重錘５０とからなる構成であり、主な重量は第一の重錘４０となり、第二の重錘５０は微調整ようの小粒の重量材であり、重錘全体の容積を最小にしている。
【００１４】
図１で示す本実施例の重さを自由に設定できるぬいぐるみ玩具１０は、結婚式披露宴などで新郎または新婦がその両親に贈呈するためのプレゼント用の装飾を目的としたぬいぐるみであり、この実施例では高さ３６ｃｍ程度で、重量は約２〜４ｋｇの範囲で自由に設定することが可能である。各種の動物等の形状をした外装材２０の中に、充填材３０と第一の重錘４０と第二の重錘５０を詰めて縫合した構成であり、第一の重錘４０と第二の重錘５０はぬいぐるみ玩具１０の腹部に配置されている。なお、本発明の重さを自由に設定できるぬいぐるみは、結婚式披露宴でのプレゼントに限らず、新生児誕生のお祝いなどさまざまな目的で使用することが可能である。
【００１５】
外装材２０は、動物やキャラクター人形等のぬいぐるみの外形からなり、内部に充填材および重錘材を詰めることができる袋状に形成されている。ぬいぐるみの外形は本実施例の天使の形状に限定されることはなく、自由に選択可能である。外装材は布等の柔軟な素材からなり、内部に充填材を詰めても破れたりしない程度の強度があれば、布の材質および種類は問わない。また、表面に擬似毛や擬似皮を設けた布などを用いたりすることも可能であり、多種多様の外観を選択することが可能である。また、外装材の一部にネームプレートなどを装着したり、鈴等のアクセサリを装着することなども考えられる。
【００１６】
外装材２０の形状は、内部に後述する充填材３０、第一の重錘４０、第二の重錘５０を詰め込むことが可能であればよく、その構造および製造時の縫合方法は適宜選択可能である。例えば、内部に第二の重錘５０を収納するための袋体などを別に備えた構成としてもよい。また、外装材２０を二重構造にし、柔軟で伸縮性のある外布と強靭で破れにくい内布からなる構成とすることも考えられる。
【００１７】
充填材３０は、前記外装材の中に詰めて、全体の形状を保つための充填物である。本実施例では、従来からぬいぐるみ等に用いられているナイロンペレット樹脂を採用したが、布や端綿（ウエス）などのように適度に柔軟性を有する素材を使用することも可能である。また、本発明の重さを自由に設定できるぬいぐるみ玩具は、贈呈後も長期間保存することが考えられるため、充填材３０は防湿材や抗菌性繊維などを含んだ構成とすることも考えられる。
【００１８】
第一の重錘４０は、円柱形状でスチール等の素材からなる重錘材であり、重さは自由に選定できる。本実施例では、１．５ｋｇと、２ｋｇと、３ｋｇの３種類の重量を用意したが、３種類以外にも用意することは可能であり、１．８ｋｇや２．５ｋｇを用意することも可能である。
製作の際は、体重に合わせて最適と考えられる少し軽めの第一の重錘を予め用意し、外装材２０および充填材３０とを合計した重量が、所望の重量になるように適宜に選択してぬいぐるみの腹部に詰める。
【００１９】
第一の重錘４０の形状は、ぬいぐるみの外形を損ねない程度の大きさであれば良く、製造するぬいぐるみの外形を考慮して決定する。本実施例では、第一の重錘を配置する腹部が略円柱形で丸みを帯びた形状であるため、腹部と略同一形状の円柱形状等を採用しているが、中空の円筒形状または球形状を選択することも可能である。また、第一の重錘を配置する部位が四角柱形状であれば、四角柱形状を採用することも考えられる。
【００２０】
本実施例の第一の重錘４０は、材質に加工が容易で比較的安価なスチールを用いた構成としているが、小型でかつ必要な重量を得られる素材であればスチールに限定されず、適宜選択することが可能である。ただし、ぬいぐるみの型崩れを防ぐためには、第一の重錘はより小型であったほうが良いため、質量の大きな物質と小さな物質では質量の大きな物質を選択することが好ましい。また、材質を選択する際にはコスト面も考慮し、より安価に入手可能な物質を選択することがより望ましい。
また、本実施例の重さを自由に設定できるぬいぐるみ玩具１０は、贈呈された後も長期間にわたって使用することが考えられる。したがって、第一の重錘４０に用いる素材は経年劣化の比較的少ない物質が望ましく、例えばステンレス加工の施された酸化しない物質等がより好ましい。
【００２１】
本実施例の実際の製造現場では、外装材２０および充填材３０とを合計した値が約２ｋｇ、２．５ｋｇ、３．５ｋｇとなるようにあらかじめ３種類の異なる第一の重錘を充填したぬいぐるみを取り敢えず予め用意して置き、ぬいぐるみの製造時に所望の重さに近いものを取り上げて、第二の重錘の量を適宜に変化させて縫合して製造している。本実施例の外装材２０と充填材３０の重量の合計値は約０．５ｋｇ程度であり、第一の重錘４０の重量は、１．５ｋｇ、２ｋｇ、３ｋｇに設定されている。外装材２０と充填材３０の総重量は、使用する材質および付属するアクセサリなどによって多少変化するため、第一の重錘４０の重さは外装材２０と充填材３０の重量および設定したい重量によって適宜選択する必要がある。また、本実施例では一番軽量な１．５ｋｇの第一の重錘を使用しても２ｋｇ以下のぬいぐるみ玩具は実現できないが、２ｋｇ以下に設定したい場合は第一の重錘４０を使用せずに第二の重錘だけを詰める構成とすることも可能である。使用する第二の重錘の量は比較的少量で済むので型崩れを起こす心配は無い。
【００２２】
本実施例では第一の重錘４０の重量を１．５ｋｇ、２ｋｇ、３ｋｇの３種類としており、実用上は本実施例のように設定しても十分であるが、上述の通りもっと多くの種類を用意しても良い。ただし、第一の重錘の種類を多くしすぎると管理および作業手順が煩雑になるので、最大公約数と作業効率を考慮して、１．５ｋｇ、２ｋｇ、３ｋｇの３種類を選択している。
【００２３】
また、第一の重錘４０は、周囲を緩衝材で包囲した構成とすることもできる。緩衝材は一般に用いられているものをそのまま使用することが可能であり、特に種類は問わない。通常、第一の重錘４０は金属などの固い素材を採用することが多いが、周囲を緩衝材で包囲することによって第一の重錘４０の硬質感が緩和され、より優れた抱き心地を得ることができる。また、ぬいぐるみを高所から落とした場合でも、緩衝材が落下の衝撃を和らげ、第一の重錘が破損することを回避している。さらに、酸化防止効果を有する緩衝材を用いて、第一の重錘の酸化を軽減または防止することも考えられる。
【００２４】
第二の重錘５０は、第一の重錘よりも遥かに軽量の重錘材であり、ぬいぐるみ玩具の重さを調整するために用いる。本実施例では、素材に比較的安価なスチールを用いている。ぬいぐるみ玩具の重量を調整可能であれば素材はこれに限定されず、適宜別の素材を選択することができる。例えば石や砂などを用いることも可能である。また、第一の重錘４０と同様に経年変化の比較的少ない物質が望ましく、鉄製であればステンレス加工の施された酸化しない物質がより好ましい。ただし、第二の重錘５０の素材には出来るだけ安価な素材を用い、ぬいぐるみ玩具を低コストに実現できるようにすることが望ましい。
【００２５】
第二の重錘５０は、ぬいぐるみ玩具完成時の重量を調整可能であればよく、その形状および重量は適宜選択可能である。例えば、重さ１ｇの微小なスチールボールであってもよいし、異なる重量に設定した数種類の重錘を予め大量に製造しておき、必要な重量となるように各重錘を組み合わせる等の方法が考えられる。本実施例ではスチールボールを用いており、１ｇ単位でぬいぐるみ玩具の重量を調整することが可能な構成としている。
【００２６】
第二の重錘５０は、第一の重錘４０の周囲にそれぞれの重錘が接触しないように間隔を置いて配置している構成である。第二の重錘５０をぬいぐるみ玩具に詰める際には、袋などにまとめて入れる方法や、錘を確実に保持するための専用のケースなどに入れる方法が考えられる。また、少量であれば手足に重錘を入れる構成としてもよいが、ぬいぐるみの柔軟性を保ちつつ型崩れを防止するには、本実施例のように腹部に集中的に詰めることが望ましい。
【図面の簡単な説明】
【００２７】
【図１】本実施例の重さを自由に設定できるぬいぐるみ玩具の一部切欠断面図
【符号の説明】
【００２８】
１０  重さを自由に設定できるぬいぐるみ玩具
２０  外装材
３０  充填材
４０  第一の重錘
５０  第二の重錘
【図１】
2005160541.tif 000003